(57)【要約】【課題】移動装置の動作の状況に基づく制限を行うことを目的とする。【解決手段】移動装置の動作の状況に基づく制限である。方法の実施例は、移動装置の機能の要求を受信することを含む。この方法は、移動装置の状況に関するデータを取得し、取得されたデータに基づいて移動装置の現在の状況を決定することを更に含む。この方法は、移動装置の機能が移動装置の現在の状況に少なくとも部分的に基づいて制限されるか否かを決定し、機能の制限に関する決定に基づいて機能の要求に応答することを含む。【選択図】図１
2011004397.tif 000002
【特許請求の範囲】
【請求項１】
移動装置の機能の要求を受信し、
前記移動装置の状況に関するデータを取得し、
前記取得されたデータに基づいて前記移動装置の現在の状況を決定し、
前記移動装置の機能が前記移動装置の前記現在の状況に少なくとも部分的に基づいて制限されるか否かを決定し、
前記機能の制限に関する決定に基づいて前記機能の要求に応答することを有する方法。
【請求項２】
前記機能の要求に応答することは、前記機能の許可と、前記機能の無効と、動作における１つ以上の制限付きでの前記機能の許可とのうち１つを含む、請求項１に記載の方法。
【請求項３】
データを取得することは、前記移動装置の物理的位置に関するデータを取得することを含む、請求項１に記載の方法。
【請求項４】
データを取得することは、前記移動装置の移動速度に関するデータを取得することを含む、請求項１に記載の方法。
【請求項５】
前記現在の状況は、前記移動装置の動作環境を含む、請求項１に記載の方法。
【請求項６】
前記移動装置の動作環境は、前記移動装置の物理的位置に少なくとも部分的に基づく、請求項５に記載の方法。
【請求項７】
前記現在の状況は、前記移動装置が機能について制限された位置に存在するか否かを含む、請求項１に記載の方法。
【請求項８】
前記現在の状況は、前記移動装置の現在の動作クラスを含む、請求項１に記載の方法。
【請求項９】
前記移動装置の現在の動作クラスは、仕事用途又は個人用途を含む、請求項８に記載の方法。
【請求項１０】
データを取得することは、前記移動装置の機能の制限を指示する信号を受信することを含む、請求項１に記載の方法。
【請求項１１】
移動装置の複数の機能のうち第１の機能の要求を処理し、前記移動装置についての状況情報を取得し、前記状況情報に基づいて前記移動装置の現在の状況を決定するプロセッサと、
前記移動装置の機能制限に関するデータを保持するメモリと
を有し、
前記プロセッサは、前記移動装置の前記機能制限にアクセスし、前記移動装置の前記現在の状況に少なくとも部分的に基づいて前記要求された第１の機能を制限するか否かを決定し、前記第１の機能の制限に関する決定に基づいて前記要求に応答する移動装置。
【請求項１２】
前記移動装置の物理的位置を決定する位置決定要素を更に有し、
前記現在の状況は、前記移動装置の前記物理的位置を含む、請求項１１に記載の移動装置。
【請求項１３】
前記位置決定要素は、GPS（global  positioning  satellite）要素を含む、請求項１２に記載の移動装置。
【請求項１４】
前記位置決定要素は、前記物理的位置の決定の際にネットワーク検出を利用する、請求項１２に記載の移動装置。
【請求項１５】
前記機能制限に関するデータは、テーブルを含み、
前記テーブルは、複数の移動装置の機能の制限を提供する、請求項１１に記載の移動装置。
【請求項１６】
カメラ要素を更に有し、
前記第１の機能は、写真機能である、請求項１１に記載の移動装置。
【請求項１７】
オーディオ要素を更に有し、
前記第１の機能は、前記オーディオ要素により生成されるサウンド機能である、請求項１１に記載の移動装置。
【請求項１８】
信号を送信する送信機及び信号を受信する受信器と、
信号を受信及び送信するダイポールアンテナと、
移動システムの複数の機能のうち第１の機能の要求を処理し、前記システムについての状況情報を取得し、前記状況情報に基づいて前記システムの現在の状況を決定するプロセッサと、
前記システムの機能制限に関するデータを保持するメモリと
を有し、
前記プロセッサは、前記システムの前記機能制限にアクセスし、前記システムの前記現在の状況に少なくとも部分的に基づいて前記要求された第１の機能を制限するか否かを決定し、前記第１の機能の制限に関する決定に基づいて前記要求に応答する移動システム。
【請求項１９】
前記システムの物理的位置を決定する位置決定要素を更に有し、
前記現在の状況は、前記システムの前記物理的位置を含む、請求項１８に記載のシステム。
【請求項２０】
前記機能制限に関するデータは、テーブルを含み、
前記テーブルは、複数のシステムの機能の制限を提供する、請求項１８に記載のシステム。
【発明の詳細な説明】
【技術分野】
【０００１】
この出願は、“Multi-Mode  Handheld  Electronic  Device”という題で2009年6月16日に出願された米国仮特許出願第61/187,520号に関し、この優先権を主張する。この出願は、この内容を援用する。
【０００２】
本発明の実施例は、概して電子装置の分野に関し、特に、移動装置の動作の状況に基づく制限を行う方法及び装置に関する。
【背景技術】
【０００３】
携帯電話とスマートフォンとパーソナルデジタルコンピュータと他の同様の装置とを含む移動装置は、多くの異なる環境で多機能の動作を可能にする。このような装置は、仕事用途及び個人用途を含む様々な目的で、非常に広範囲の異なる機能を可能にする。
【０００４】
移動装置の多機能性は、異なる環境で新しい活動の機会を可能にする。例えば、以前では大規模なコンピュータ又は仕事環境を必要としていた多くの種類の仕事活動は、多くの場所で又は旅行中に扱われることが可能になる。更に、個人がドキュメント及び他のデータを迅速且つ効率的に転送及び共有することを可能にする、移動装置を使用した通信方法が存在する。
【発明の概要】
【発明が解決しようとする課題】
【０００５】
しかし、新しい機能を用いて、不適切な環境で移動装置にアクセスする可能性がある。例えば、個人は、他人と干渉する環境、又は装置の使用が許可されていない場所若しくは環境、危険である場所若しくは環境及び／又は場合によっては不法である場所若しくは環境で、携帯電話又は同様の通信装置にアクセスする可能性がある。このことは、移動装置が適用される用途の混在のため、更に複雑になっている。
【０００６】
本発明は、移動装置の動作の状況に基づく制限を行うことを目的とする。
【課題を解決するための手段】
【０００７】
本発明の方法は、
移動装置の機能の要求を受信し、
前記移動装置の状況に関するデータを取得し、
前記取得されたデータに基づいて前記移動装置の現在の状況を決定し、
前記移動装置の機能が前記移動装置の前記現在の状況に少なくとも部分的に基づいて制限されるか否かを決定し、
前記機能の制限に関する決定に基づいて前記機能の要求に応答することを有することを特徴とする。
【発明の効果】
【０００８】
本発明の実施例によれば、移動装置の動作の状況に基づく制限が可能になる。
【図面の簡単な説明】
【０００９】
【図１】移動装置の機能の状況に基づく制限の実施例を示す図
【図２】移動装置又はシステムの状況に基づいて移動装置又はシステムの機能を制限する処理の実施例を示すフローチャート
【図３】移動装置のカメラ機能の機能を制限する図
【図４】移動装置又はシステムの実施例を示す図
【図５】移動装置又はシステムの機能制限テーブルの図
【発明を実施するための形態】
【００１０】
本発明の実施例について限定的ではなく、一例として説明する。添付図面において、同様の参照符号は同様の要素を示す。
【００１１】
本発明の実施例は、概して移動装置機能の状況（コンテキスト）に基づく制限を対象とする。
【００１２】
ここで“移動装置又はシステム”とは、携帯電話、スマートフォン、パーソナルデジタル装置、ハンドヘルド型コンピュータを含む移動電子装置又はシステムを意味する。
【００１３】
或る実施例では、移動装置又はシステムは、現在の装置又はシステムの状況に基づいて移動装置又はシステムの機能の一部又は全部を自動的に制限する。移動装置又はシステムの状況は、使用形式と、物理的位置と、使用の環境とを含む。或る実施例では、移動装置又はシステムの機能の制限は、或る状況では機能の禁止又は無効でもよく、或る状況では特定の制限のある機能の許可でもよい。
【００１４】
或る実施例では、移動装置又はシステムの現在の状況は、１つ以上の要因を含み、要因は、移動装置の動作クラス（仕事用途又は個人用途等）、物理的位置が知られているか否か、現在の物理的位置が機能について禁止されているか否か、移動装置の使用環境がどのようなものであるか（仕事の打ち合わせでの移動装置の使用等）、移動装置が動いているか否か、及び移動装置が禁止機能を示すビーコン又は他の信号を受信しているか否かを含んでもよい。ビーコンは、非限定的に、WiFi信号又は他のプロトコルの信号を含んでもよい。
【００１５】
或る実施例では、移動装置又はシステムは、非限定的に、GPS（global  positioning  satellite）受信機及び回路、ネットワーク位置（例えば、仕事環境内でのローカル無線ネットワークの検出）、又は他の検出された位置データを含む位置決定技術を使用して、装置又はシステムの物理的位置を決定する。或る実施例では、装置の速度が同じ技術（GPS技術又は他の技術等）により決定されてもよい。
【００１６】
或る実施例では、移動装置又はシステムは、使用環境を決定する際の要因として装置又はシステムの物理的位置を利用してもよい。例えば、移動装置は、物理的位置から、移動装置が仕事環境内で使用されていることを決定してもよく、この結果、第１の一式の機能が制限又はロックされてもよい。或いは、移動装置は、移動装置が仕事環境の外部にあることを決定してもよく、この結果、第２の一式の機能が制限又はロックされてもよい。或る実施例では、移動装置は、特定の時間での予想環境を決定するためにユーザのカレンダーにアクセスすることを含み、環境を決定する際の支援をするために他のデータにアクセスしてもよい。
【００１７】
或る実施例では、移動装置又はシステムの機能は、全て又は特定の装置の動作が制限される領域（防衛庁又は政府の施設等）や、特定の機能が制限される領域のように、機能が制限される特定の状況を明示的に規定するテーブル又は他のデータフォーマットに基づいてロックされてもよい。或る実施例では、移動装置が前の使用パターン又はカレンダーの登録から決定された“予期しない”位置に運ばれた場合、移動装置は予防措置としてロックしてもよい。この理由は、予期しない位置は、盗難又は無許可の使用を示す可能性があるからである。この場合、移動装置は、更に、その位置を所定のサービス又は電話番号に報告し、その回収を支援してもよい。
【００１８】
一例では、移動装置又はシステムは、必要に応じて写真機能を禁止又は制限することにより、搭載カメラ付の携帯電話及びPDAに適用される更なる精査に対処するように構成されてもよい。この例では、移動装置が禁止又は制限地域内にあるときに、移動装置は、移動装置の写真機能をロックするように動作する無効装置又は機能を備えている。禁止又は制限地域は、（GPS又は他の位置決定技術により決定された）装置位置に基づいて規定されてもよく、例えば許可又は禁止信号が短距離無線ネットワークでブロードキャストされるビーコン送信により指示されてもよい。写真機能の制限は、機密事項を扱う企業及び政府環境（R&D施設及び法定等）での更なるセキュリティを可能にし得る。他の例では、位置は、参加者が演技又はショーを記録することを許可されていない劇場又は映画館でもよい。
【００１９】
或る実施例では、移動装置の機能の制限は、非限定的に、アクセス制御リスト又はテーブルの整合性確認を含むデータの整合性を保護する周知の手段を通じて、改ざん防止が行われてもよい。
【００２０】
図１は、移動装置又はシステムの機能の状況に基づく制限の実施例の図である。或る実施例では、移動装置100は、機能の制限110を含む。このような制限は、何らかの使用の状況に依存する。或る実施例では、移動装置に影響を及ぼし得る状況要素は、GPS動作を含む位置決定ハードウェア及びソフトウェアにより決定された移動装置の物理的位置及び移動120（移動速度を含む）、移動装置100の物理的位置及び移動120と他のデータとに部分的に基づいてもよい移動装置の動作環境130、個人用途と仕事用途とを含む移動装置の動作クラス140、特定の機能の禁止を移動装置に通知するためにブロードキャストされるビーコン又は他の信号を含む外部制限信号150、及び移動装置により受信される他の状況情報160（例えば、日時と、日付と、移動装置により受ける外部状況とを含む）を含む。
【００２１】
図２は、移動装置又はシステムの状況に基づいて移動装置又はシステムの機能を制限する処理の実施例を示すフローチャートである。このようなフローチャートの処理は、必須ではなく、実施例に応じて及び特定の一式の事象に応じて異なる順序で実行されてもよい。この例では、移動装置は、機能の要求を受信する200。機能の要求は、ユーザからの要求でもよく、外部装置からの要求でもよく、移動装置の内部要素からの要求でもよい。第１の例では、ユーザは、カメラ機能を使用することを試みる。第２の例では、移動装置の要素は、入来呼又は他のイベントに応じて呼び出し音又は他の可聴信号の活性化を要求する。或る実施例では、移動装置は、要求が拒否されるべきか、許可されるべきか、制限付きで許可されるべきかを決定するために、前に格納された状況情報（一般的に状況の決定と呼ばれる）を決定、収集又は取得してもよい。
【００２２】
或る実施例では、状況の決定は、以下のことを含んでもよい。移動装置は、移動装置の現在の動作形式又は動作クラス（仕事動作又は個人動作等）を決定してもよい204。移動装置は、物理的位置情報（GPS位置データ、ネットワークリンクにより決定された位置、又は移動装置により受信された外部位置ビーコン若しくは他の信号により決定された位置等）を決定してもよい206。移動装置は、速度情報（GPS信号に基づいて決定された速度情報等）を決定してもよい208。例えば、GPS信号は、移動装置が移動中の乗物で使用されているか否かを決定するために使用されてもよい。移動装置は、位置及び速度情報の使用とカレンダーデータのような情報とを含み、移動装置の動作環境を決定してもよい210。環境は、非限定的に、仕事の打ち合わせでの移動装置の使用と、自動車のような移動中の乗物での移動装置の使用とを含んでもよい。移動装置は、禁止又は制限信号（カメラの使用を禁止する信号又は可聴信号（呼び出し音等）を禁止する信号等）を受信して解釈してもよい212。
【００２３】
或る実施例では、移動装置は、移動装置の現在の状況に少なくとも部分的に基づいて、要求された機能の制限を決定する214。要求された機能が移動装置の現在の状況で許可されていない場合216、その機能は無効になり、要求は拒否される222。要求された機能が許可されているが制限されている場合218、その機能は制限付きで有効になる224。要求された機能が制限されていない場合、要求された機能は制限なしに許可される220。
【００２４】
図３は、移動装置のカメラ機能の機能制限の図である。特定の例では、移動装置の機能は、カメラ機能でもよく、ユーザは、写真を撮影するためにカメラを差動させることを試みてもよい。或る実施例では、装置がその位置を認識しない場合305（移動装置がGPS信号を受信できない場合等）、カメラ機能は無効になってもよい320。この理由は、移動装置が何らかの制限地域の外側にあることを決定することができないからである。装置が制限地域内にある場合310、カメラ機能は無効になってもよく、制限されてもよい320。或る場合には、制限された政府の位置のように、カメラ機能は完全に無効になってもよい。或る場合には、フラッシュなしの写真のみを許可する位置（コンサートやスポーツイベント又は美術館等）のように、フラッシュが使用不可能になるようにカメラが制限されてもよい。カメラが明示的な“写真禁止”又は制限写真ビーコン又は他の信号を受信すると315、カメラ機能は無効になってもよく、制限されてもよい320。そうでない場合、カメラ機能は有効になり、写真は制限なしに許可される325。
【００２５】
図４は、移動装置又はシステムの実施例を示している。この例では、移動装置400は、移動装置の現在の状況に基づいて移動装置の機能を制限する要素を含む。或る実施例では、移動装置400は、データを送信及び受信する１つ以上の送信機402及び受信機404を含む。或る実施例では、移動装置は、データ送信及び受信用の１つ以上のアンテナ405を含む。アンテナは、ダイポール及びモノポールアンテナを含んでもよい。移動装置400は、非限定的に、グラフィカルユーザインタフェース（GUI）を含むユーザインタフェース406を更に含んでもよい。移動装置400は、非限定的に、GPS受信機408とGPS回路410とを含む物理的位置又は移動速度を決定する１つ以上の要素を更に含んでもよい。
【００２６】
移動装置400は、１つ以上のメモリ又は一式のレジスタ412を更に含んでもよい。１つ以上のメモリ又は一式のレジスタ412は、不揮発性メモリ（フラッシュメモリ及び他の形式のメモリ等）を含んでもよい。メモリ又はレジスタ412は、初期設定と、移動装置のユーザにより確立されたユーザ設定と、企業（IT（information  technology）サポートの役目をする雇用者等）により設定された企業設定とを含み、装置414の１つ以上のグループの設定を含んでもよい。メモリ412は、移動装置の状況に基づいて移動装置の機能を制限する動作をサポート又は制御するアプリケーションを含み、１つ以上のアプリケーション416を更に含んでもよい。メモリ412は、移動装置の機能の制限と移動装置の使用環境の解釈とに影響を及ぼし得るデータを含み、ユーザデータ418を更に含んでもよい。例えば、ユーザデータ418は、どの環境が特定の時間に予想されるかを解釈するために移動装置により使用され得るカレンダーデータを含んでもよい。或る例では、打ち合わせに関するカレンダーの登録は、移動装置が仕事のニーズで存在しており、特定の機能が制限されるべきであることを決定するために使用されてもよい。メモリ412は、移動装置の状況に応じて装置の機能の制限を反映するテーブル、データベース又はデータ構造を更に含んでもよい。このようなテーブルの例が図５に示されている。
【００２７】
移動装置は、制限の対象になるシステムの機能に関する様々な要素を含んでもよい。例えば、移動装置は、ディスプレイ420とディスプレイ回路421とを含んでもよく（特定の表示項目が特定の状況で制限される）、スピーカー422と可聴信号（呼び出し音）を含むオーディオ回路423とを含んでもよく（これらは特定の状況でオフにされてもよく、音量が制限されてもよい）、カメラ424とカメラ回路425とを含んでもよく（これらは図３に示すような特定の状況で制限されてもよい）、他の機能要素426を含んでもよい。移動装置は、移動装置の機能の制限に関する命令を含む命令を実行する１つ以上のプロセッサ428を更に含んでもよい。
【００２８】
図５は、移動装置又はシステムの機能制限テーブルの図である。図５は、例示目的で提供されており、移動装置の機能制限を記述するデータは、移動装置又はシステムにおいて様々な方法で構成されてもよく、例えば関与する機能の形式又は機能の要求の発信元に応じて１つ以上の位置に格納されてもよい。或る実施例では、機能に関するデータは、ホワイトリストの形式でもよく（機能が許可されている状況を示す）、ブラックリストの形式でもよい（機能が許可されていない状況を示す）。
【００２９】
この例では、移動装置の特定の機能502は、様々な状況要素に応じて制限されてもよい。或る実施例では、特定の制限は、初期設定で設定されてもよく、移動装置の設定のグループの一部でもよい。図示の状況要素は、移動装置の動作クラス504（仕事用途又は個人用途等）、未知の物理的位置506（例えばGPS信号が受信できないため、位置決定ハードウェアが物理的位置を決定することができない場合）、機能について特定の制限された位置508、機能について特定の制限された状況510、特定の速度より速い移動のように装置が移動中であるときの装置の制限612（移動中の乗物での動作が想定される場合）、及び特定の禁止信号が受信されたときに機能が制限され得るか否か514である。他の状況要素は、特定の機能が特定の時間又は日付に制限され得る日時又は日付、及び特定の機能の制限を生じ得る温度及び急激な移動のような移動装置により受ける外部状況を含んでもよい。
【００３０】
或る実施例では、コンタクトに基づく特定の制限が特定の機能に適用されてもよい。例えば、カメラ機能520は、個人用動作のみに許可されてもよく、物理的位置が未知のときに禁止されてもよく、特定の仕事の位置では禁止されてもよく、制限付きでのみ許可されてもよく、移動中に許可されてもよく、禁止信号が受信されたときに禁止されてもよい。他の例では、テキストメッセージ522は、自動車運転中に禁止されてもよく、（ユーザが自動車又は公共輸送機関の乗客であるため）ユーザが自動車を運転していないことを示す放棄画面（waiver  screen）を通過しない限り、（ユーザが運転している可能性があるため）特定の速度より速く移動中であるときに禁止されてもよい。他の例では、移動装置の呼び出し音524は、特定の既知の位置（劇場及び教会等）で無効になってもよく、仕事の打ち合わせの環境で無効になってもよい。テーブル500は、機能4〜機能7に示すような他の機能526-534も同様に含んでもよい。
【００３１】
前述の説明では、説明の目的で、本発明の完全な理解を提供するために、複数の特定の詳細が示されている。しかし、本発明は、これらの特定の詳細の一部なしに実施されてもよいことが当業者に明らかである。他の場合にも、周知の構造及び装置は、ブロック図の形式で示されている。図示の構成要素の間に中間の構造が存在してもよい。ここに記載又は図示の構成要素は、図示又は記載されていない更なる入力又は出力を有してもよい。
【００３２】
本発明の様々な実施例は、様々な処理を含んでもよい。これらの処理は、ハードウェア構成要素により実行されてもよく、コンピュータプログラム又は機械実行可能命令により実現されてもよい。コンピュータプログラム又は機械実行可能命令は、命令でプログラムされた汎用目的若しくは専用目的プロセッサ又は論理回路に対して処理を実行させるために使用されてもよい。代替として、処理は、ハードウェアとソフトウェアとの組み合わせにより実行されてもよい。
【００３３】
本発明の様々な実施例の部分は、コンピュータプログラムプロダクトとして提供されてもよい。コンピュータプログラムプロダクトは、コンピュータプログラム命令を格納したコンピュータ可読媒体を含んでもよい。コンピュータプログラム命令は、本発明の実施例による処理を実行する１つ以上のプロセッサによる実行のために、コンピュータ（又は他の電子装置）をプログラムするために使用されてもよい。コンピュータ可読媒体は、非限定的に、フロッピー（登録商標）ディスク、光ディスク、CD-ROM（compact  disk  read-only  memory）、光磁気ディスク、読み取り専用メモリ（ROM）、ランダムアクセスメモリ（RAM）、消去可能プログラム可能読み取り専用メモリ（EPROM）、電気的消去可能プログラム可能読み取り専用メモリ（EEPROM）、磁気若しくは光カード、フラッシュメモリ、又は電子命令を格納するのに適した他の形式のコンピュータ可読媒体を含んでもよい。更に、本発明は、コンピュータプログラムプロダクトとしてダウンロードされてもよい。プログラムは、遠隔コンピュータから要求側のコンピュータに転送されてもよい。
【００３４】
多くの方法は、最も基本的な形式で記載されているが、本発明の基本的な範囲を逸脱することなく、処理は、方法のいずれかに追加されてもよく、方法のいずれかから削除されてもよい。また、情報は、記載のメッセージのいずれかに追加又は削除されてもよい。多くの更なる変更及び応用が行われてもよいことが当業者に明らかである。特定の実施例は、本発明を制限するためではなく、例示するために提供されている。本発明の実施例の範囲は、前述により提供される特定の例により決定されるのではなく、特許請求の範囲のみにより決定される。
【００３５】
要素“A”が要素“B”に結合されると記載されている場合、要素Aは、要素Bに直接的に結合されてもよく、例えば要素Cを通じて間接的に結合されてもよい。明細書又は特許請求の範囲に、構成要素、特徴、構造、処理又は特性Aが構成要素、特徴、構造、処理又は特性Bを行わせると記載されている場合、“A”は“B”を少なくとも部分的に行わせることを意味し、“B”を行わせる際に助けになる少なくとも１つの他の構成要素、特徴、構造、処理又は特性が存在してもよい。構成要素、特徴、構造、処理又は特性が含まれてもよいと明細書に示されている場合、その特定の構成要素、特徴、構造、処理又は特性は、含まれる必要がない。明細書又は特許請求の範囲が単一の要素を示す場合、これは、唯一の記載の要素しか存在しないことを意味するのではない。
【００３６】
実施例は、本発明の実装又は例である。明細書での“実施例”、“一実施例”、“或る実施例”又は“他の実施例”への言及は、実施例に関して記載した特定の構成要素、特徴、構造、処理又は特性が少なくとも１つの実施例に含まれることを意味するが、必ずしも全ての実施例に含まれることを意味しない。“実施例”、“一実施例”又は“或る実施例”が様々な場所に現れることは、必ずしも同じ実施例を示しているとは限らない。本発明の例示的な実施例の前述の説明において、開示を円滑にして、様々な本発明の態様の１つ以上を理解するのを助ける目的で、様々な特徴は、場合によっては単一の実施例、図面又はその説明にグループ化されていることがわかる。しかし、この開示の方法は、本発明が各請求項に明示的に記載されたもの以外の特徴を必要とするという意図を反映するものとして解釈されるべきではない。むしろ、特許請求の範囲が反映する通り、本発明の概念は、単一の前述の開示された実施例の全ての特徴より少ないものにある。従って、特許請求の範囲は明示的にこの説明に組み込まれ、各請求項が本発明の別個の実施例として成立する。
【符号の説明】
【００３７】
100  移動装置
110  機能の制限
【図１】
2011004397.tif 000003
【図２】
2011004397.tif 000004
【図３】
2011004397.tif 000005
【図４】
2011004397.tif 000006
【図５】
2011004397.tif 000007
【外国語明細書】
2011004397000001.pdf
2011004397000002.pdf
2011004397000003.pdf
2011004397000004.pdf